(57)【要約】【課題】特定会員の登録意欲及び登録継続意欲の向上を図ることが可能な画像編集方法、画像編集プログラム、通信端末、及び画像提供装置を提供すること。【解決手段】写真撮影装置１００における画像データの編集に用いられる素材画像に対応する素材データをサーバー２００から取得する取得ステップと、前記素材データを用いて画像データを編集する編集ステップとを通信端末３００のプロセッサーによって実行する画像編集方法であって、前記編集ステップでは、使用可能な前記素材データが、前記通信端末３００のユーザーが予め設定された特定会員であるか否かに応じて変更される、（Ｓ２２のＹｅｓ及びＮｏ）。【選択図】図６
2018032322.tif 000002
【特許請求の範囲】
【請求項１】
写真撮影装置における画像データの編集に用いられる素材画像に対応する素材データをサーバーから取得する取得ステップと、前記素材データを用いて画像データを編集する編集ステップとを通信端末のプロセッサーによって実行する画像編集方法であって、
前記編集ステップでは、使用可能な前記素材データが、前記通信端末のユーザーが予め設定された特定会員であるか否かに応じて変更される、画像編集方法。
【請求項２】
前記取得ステップでは、前記通信端末のユーザーが前記特定会員である場合及び前記特定会員でない場合で同一の前記素材データが取得され、
前記編集ステップでは、前記取得ステップで取得された前記素材データのうち使用可能な前記素材データが、前記通信端末のユーザーが前記特定会員であるか否かに応じて変更される、
請求項１に記載の画像編集方法。
【請求項３】
前記取得ステップでは、前記素材データと共に、前記通信端末のユーザーが前記特定会員であるか否かを示す会員情報が取得され、
前記編集ステップでは、前記会員情報に基づいて、前記取得ステップで取得された前記素材データのうち使用可能な前記素材データが変更される、
請求項２に記載の画像編集方法。
【請求項４】
前記編集ステップでは、前記素材データの取得時に取得された前記会員情報に基づいて、当該素材データの使用可否が判断される、
請求項３に記載の画像編集方法。
【請求項５】
前記素材データには、前記編集ステップにおける編集対象の画像に合成可能なフレーム画像及びスタンプ画像の少なくとも一方の画像データが含まれる、
請求項１〜４のいずれかに記載の画像編集方法。
【請求項６】
前記取得ステップでは、前記素材データが予め設定されたグループ単位で取得される、
請求項１〜５のいずれかに記載の画像編集方法。
【請求項７】
前記編集ステップでは、選択候補の前記素材データが予め設定されたグループ単位で表示される、
請求項１〜６のいずれかに記載の画像編集方法。
【請求項８】
前記取得ステップで取得された前記素材データを予め設定されたグループ単位で削除する削除ステップを更に含む、
請求項１〜７のいずれかに記載の画像編集方法。
【請求項９】
前記取得ステップでは、前記通信端末における画像データの編集に用いられる特殊素材データが取得され、
前記編集ステップでは、使用可能な前記素材データ及び前記特殊素材データが、前記通信端末のユーザーが予め設定された特定会員であるか否かに応じて変更される、
請求項１〜８のいずれかに記載の画像編集方法。
【請求項１０】
写真撮影装置における画像データの編集に用いられる素材画像に対応する素材データをサーバーから取得する取得ステップと、前記素材データを用いて画像データを編集する編集ステップとを通信端末のプロセッサーに実行させるための画像編集プログラムであって、
前記編集ステップでは、使用可能な前記素材データが、前記通信端末のユーザーが予め設定された特定会員であるか否かに応じて変更される、画像編集プログラム。
【請求項１１】
写真撮影装置における画像データの編集に用いられる素材画像に対応する素材データをサーバーから取得する取得処理部と、前記素材データを用いて画像データを編集する編集処理部とを備える通信端末であって、
前記編集処理部は、使用可能な前記素材データを、前記通信端末のユーザーが予め設定された特定会員であるか否かに応じて変更する、通信端末。
【請求項１２】
写真撮影装置で撮影された写真の画像データの編集に用いられる素材データを通信端末に提供可能な提供処理部を備える画像提供装置であって、
前記提供処理部は、前記通信端末のユーザーが特定会員でない場合に、前記通信端末に提供可能な前記素材データを制限する、画像提供装置。
【発明の詳細な説明】
【技術分野】
【０００１】
本発明は、通信端末又は写真撮影装置などにより撮影された写真の画像データをフレーム画像又はスタンプ画像などの素材データを用いて編集する技術に関する。
【背景技術】
【０００２】
一般に、ゲームセンター等のアミューズメント施設に設置され、ユーザーを撮影した写真をシール等に印刷する写真撮影装置が知られている（例えば、特許文献１参照）。また、この種の写真撮影装置は、撮影された写真の画像データをサーバーに送信する機能を有することがある。これにより、ユーザーは、携帯電話、スマートフォン、又はタブレット端末などの通信端末を用いて、サーバーから写真撮影装置で撮影された写真の画像データを取得することができる。また、通信端末は、通信端末又は写真撮影装置で撮影された写真の画像データなどを編集する編集機能を備えることがある。そして、通信端末における画像データの編集時には、フレーム画像又はスタンプ画像などの各種の素材データが用いられる。
【先行技術文献】
【特許文献】
【０００３】
【特許文献１】特開２０１５−２０７１１４号公報
【発明の概要】
【発明が解決しようとする課題】
【０００４】
ところで、ユーザーが、有料会員などの予め定められた特定会員である場合には、通信端末を用いてサーバーから取得可能な画像データの数が、特定会員でない場合に比べて多く設定され、特定会員の登録意欲及び登録継続意欲の向上が図られることがある。しかしながら、通信端末における画像データの編集機能については、特定会員であるか否かによって差が生じておらず、特定会員の登録意欲及び登録継続意欲の向上に寄与していない。
【０００５】
本発明の目的は、特定会員の登録意欲及び登録継続意欲の向上を図ることが可能な画像編集方法、画像編集プログラム、通信端末、及び画像提供装置を提供することにある。
【課題を解決するための手段】
【０００６】
本発明に係る画像編集方法は、写真撮影装置における画像データの編集に用いられる素材画像に対応する素材データをサーバーから取得する取得ステップと、前記素材データを用いて画像データを編集する編集ステップとを通信端末のプロセッサーによって実行する画像編集方法である。そして前記編集ステップでは、使用可能な前記素材データが、前記通信端末のユーザーが予め設定された特定会員であるか否かに応じて変更される。
【０００７】
本発明に係る画像編集プログラムは、写真撮影装置における画像データの編集に用いられる素材画像に対応する素材データをサーバーから取得する取得ステップと、前記素材データを用いて画像データを編集する編集ステップとを通信端末のプロセッサーに実行させるための画像編集プログラムである。そして、前記編集ステップでは、使用可能な前記素材データが、前記通信端末のユーザーが予め設定された特定会員であるか否かに応じて変更される。
【０００８】
本発明に係る通信端末は、写真撮影装置における画像データの編集に用いられる素材画像に対応する素材データをサーバーから取得する取得処理部と、前記素材データを用いて画像データを編集する編集処理部とを備える通信端末である。そして、前記編集処理部は、使用可能な前記素材データを、前記通信端末のユーザーが予め設定された特定会員であるか否かに応じて変更する。
【０００９】
本発明に係る画像提供装置は、写真撮影装置で撮影された写真の画像データの編集に用いられる素材データを通信端末に提供可能な提供処理部を備える画像提供装置である。そして、前記提供処理部は、前記通信端末のユーザーが特定会員でない場合に、前記通信端末に提供可能な前記素材データを制限する。
【発明の効果】
【００１０】
本発明によれば、特定会員の登録意欲及び登録継続意欲の向上を図ることが可能な画像編集方法、画像編集プログラム、通信端末、及び画像提供装置が提供される。
【図面の簡単な説明】
【００１１】
【図１】図１は、本発明の実施の形態に係る写真撮影システムの構成を示すブロック図である。
【図２】図２は、本発明の実施の形態に係る写真撮影装置の外観を示す斜視図である。
【図３】図３は、本発明の実施の形態に係る写真撮影システムのサーバー及び通信端末の構成を示すブロック図である。
【図４】図４は、本発明の実施の形態に係る写真撮影システムで用いられるユーザーリストの一例を示す図である。
【図５】図５は、本発明の実施の形態に係る写真撮影システムの写真撮影装置で実行されるメイン制御処理の手順の一例を示すフローチャートである。
【図６】図６は、本発明の実施の形態に係る写真撮影システムの通信端末で実行される画像編集処理の手順の一例を示すフローチャートである。
【図７】図７は、本発明の実施の形態に係る写真撮影システムのサーバーで実行される画像提供処理の手順の一例を示すフローチャートである。
【図８】図８は、本発明の実施の形態に係る写真撮影システムの通信端末で表示される表示画面の一例を示す図である。
【図９】図９は、本発明の実施の形態に係る写真撮影システムの通信端末で表示される表示画面の一例を示す図である。
【図１０】図１０は、本発明の実施の形態に係る写真撮影システムの通信端末で表示される表示画面の一例を示す図である。
【図１１】図１１は、本発明の実施の形態に係る写真撮影システムの通信端末で表示される表示画面の一例を示す図である。
【図１２】図１２は、本発明の実施の形態に係る写真撮影システムの通信端末で表示される表示画面の一例を示す図である。
【図１３】図１３は、本発明の実施の形態に係る写真撮影システムの通信端末で表示される表示画面の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［写真撮影システム１］
図１に示すように、本発明の実施形態に係る写真撮影システム１は、写真撮影装置１００、サーバー２００、及び通信端末３００を備える。写真撮影装置１００、サーバー２００、及び通信端末３００は、インターネット、ＬＡＮ、ＷＡＮ、又は公衆電話回線などの通信網Ｎ１を介して通信可能である。そして、写真撮影システム１では、写真撮影装置１００における撮影に基づいて生成される画像データがユーザーの通信端末３００に提供される画像提供サービスがサーバー２００によって実現される。なお、写真撮影システム１には、写真撮影装置１００、サーバー２００、又は通信端末３００が複数設けられていてもよい。また、写真撮影装置１００で撮影された画像データを提供する画像サーバーとは別に、後述の素材データを提供するサーバーが設けられていてもよい。
【００１４】
［写真撮影装置１００］
写真撮影装置１００は、ゲームセンターなどのアミューズメント施設に設置されて使用され、一般にプリントシール機とも称される。図２に示すように、写真撮影装置１００の設置空間は、撮影コーナー１０及び落書きコーナー２０に大別される。撮影コーナー１０は、写真撮影が行われる場所であり、落書きコーナー２０は、撮影後の画像データの編集が行われる場所である。なお、本実施形態に係る写真撮影装置１００は、例えば１人の被写体であるユーザーについて証明写真を撮影する証明写真撮影装置などであってもよい。
【００１５】
写真撮影装置１００は、図１に示すように、撮影コーナー１０に配置されたカメラ１１、操作表示部１２、スピーカー１３、及びストロボ１４などを備える。カメラ１１は、被写体であるユーザーを撮影する撮影部であり、ＣＣＤなどの撮像素子を有する。
【００１６】
操作表示部１２は、表示部及び操作部を有する。前記表示部は、各種の情報を表示する液晶ディスプレイ又は有機ＥＬディスプレイなどである。前記操作部は、ユーザー操作を受け付けるハードキー又はタッチパネルなどである。スピーカー１３は、撮影コーナー１０に存在するユーザーに対して各種の音声案内を行うために用いられる。ストロボ１４は、カメラ１１による撮影時に発光する発光装置である。
【００１７】
また、写真撮影装置１００は、図１及び図２に示すように、落書きコーナー２０に配置された操作表示部２１、タッチペン２２、スピーカー２３、及びプリンター２４などを備える。なお、写真撮影装置１００では、図２に示す落書きコーナー２０の背面側にも、操作表示部２１、タッチペン２２、及びスピーカー２３が設けられており、異なる二組のユーザーに対して並行して編集作業を提供することが可能である。
【００１８】
操作表示部２１は、表示部及び操作部を有する。前記表示部は、各種の情報を表示する液晶ディスプレイ又は有機ＥＬディスプレイなどである。前記操作部は、ユーザー操作を受け付けるハードキー又はタッチパネルなどである。タッチペン２２は、操作表示部２１のタッチパネルに対するタッチ操作を行うために用いられる。スピーカー２３は、落書きコーナー２０に存在するユーザーに対して各種の音声案内を行うために用いられる。プリンター２４は、カメラ１１で撮影された画像データに基づいてシールなどの記録媒体に画像を形成する画像形成部であって、プリンター２４で印刷された後の前記記録媒体は取り出し口２５（図２参照）から排出される。
【００１９】
さらに、図１に示すように、写真撮影装置１００は、制御装置３０、ＵＰＳ４０、ルーター５０、及び無線端末６０などを備える。制御装置３０、ＵＰＳ４０、及びルーター５０などは、写真撮影装置１００の落書きコーナー２０側の筐体内に設けられており、メンテナンス扉２６（図２参照）を開くことによりアクセス可能である。
【００２０】
ルーター５０は、制御装置３０と無線端末６０とを接続する中継装置である。無線端末６０は、通信網Ｎ１を介して外部装置との間で無線通信方式のデータ通信を実行するデータ通信カードなどの無線通信機器である。具体的に、写真撮影装置１００は、写真撮影装置１００が配置されたアミューズメント施設の外部に設けられたサーバー２００との間で通信網Ｎ１を介して通信可能である。また、写真撮影装置１００が無線端末６０を備えておらず、ルーター５０を介して有線通信方式でデータ通信を実行することも考えられる。
【００２１】
ＵＰＳ４０は、電源スイッチ３を介して商用交流電源２に接続される。電源スイッチ３は、例えば写真撮影装置１００の落書きコーナー２０側の筐体の底面に設けられており、写真撮影装置１００の電源を一括してＯＮ／ＯＦＦにするために操作される。ＵＰＳ４０は、商用交流電源２及び制御装置３０の間に介在して設けられている。そして、ＵＰＳ４０は、商用交流電源２から電力が供給されている場合は、その電力を制御装置３０に供給する。また、ＵＰＳ４０は、商用交流電源２からの電力供給が停止した場合に制御装置３０に電力を供給する二次電源５１を有する。
【００２２】
制御装置３０は、制御部３１、記憶部３２、及び通信Ｉ／Ｆ３３などを備えるコンピューターである。制御装置３０は、ＵＰＳ４０を介して商用交流電源２に接続されており、商用交流電源２又はＵＰＳ４０からの供給電力によって稼動する。なお、制御装置３０は、１台のコンピューターに限らず、複数台のコンピューターが協働して動作するコンピューターシステムであってもよい。
【００２３】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することにより写真撮影装置１００を制御する。
【００２４】
記憶部３２は、ハードディスク又はＳＳＤなどの不揮発性の記憶部であり、写真撮影装置１００で撮影された写真の画像データ及び前記画像データの編集後の画像データなどが記憶される。また、記憶部３２には、制御部３１に後述のメイン制御処理（図５参照）を実行させるための撮影制御プログラムが記憶される。
【００２５】
通信Ｉ／Ｆ３３は、制御装置３０を有線又は無線でルーター５０に接続し、ルーター５０を介してサーバー２００等の外部機器との間でデータ通信を実行するための通信インターフェースである。
【００２６】
そして、写真撮影装置１００において、制御部３１は、撮影処理部３１１、編集処理部３１２、画像生成部３１３、記憶処理部３１４、送信処理部３１５、及び情報出力部３１６などを含む。具体的に、制御部３１は、前記ＣＰＵにより前記撮影制御プログラムに従った各種の処理を実行することにより、撮影処理部３１１、編集処理部３１２、画像生成部３１３、記憶処理部３１４、送信処理部３１５、及び情報出力部３１６として機能する。なお、制御部３１が電子回路である場合、撮影処理部３１１、編集処理部３１２、画像生成部３１３、記憶処理部３１４、送信処理部３１５、及び情報出力部３１６は、それぞれの機能を実現する回路モジュールである。
【００２７】
撮影処理部３１１は、撮影コーナー１０内のユーザーを被写体としてカメラ１１で撮影するための撮影処理を実行する。具体的に、前記撮影処理において、撮影処理部３１１は、写真撮影に関する案内をスピーカー１３から出力させると共に、操作表示部１２に対するユーザー操作に応じて写真の撮影方法などを設定する。そして、撮影処理部３１１は、カメラ１１及びストロボ１４を制御することにより被写体を撮影する。なお、カメラ１１による被写体の撮影に基づいて生成された画像データは記憶部３２に一時的に記憶される。
【００２８】
編集処理部３１２は、カメラ１１による被写体の撮影で得られた前記画像データを編集するための落書き処理を実行する。具体的に、前記落書き処理において、編集処理部３１２は、前記画像データの編集操作に関する案内をスピーカー２３から出力させると共に、タッチペン２２を用いた操作表示部２１に対するユーザー操作に応じて前記画像データを編集する。例えば、前記落書き処理では、前記画像データに対してスタンプ画像又はフレーム画像などの素材画像を合成する処理が実行される。
【００２９】
画像生成部３１３は、編集処理部３１２によって実行される前記落書き処理における編集内容に基づいて印刷用の画像データ及び送信用の画像データを生成する。例えば、前記送信用の画像データは、前記印刷用の画像データよりも低画質又は小サイズの画像データであって、前記落書き処理における編集前及び編集後のいずれか一方又は両方の画像データである。
【００３０】
記憶処理部３１４は、画像生成部３１３により生成される前記送信用の画像データを、その画像データを識別可能な画像識別情報と対応付けて記憶部３２に記憶させる。本実施形態では、前記画像識別情報として、前記送信用の画像データ各々が生成されたときのプレイを識別するためのプレイＩＤを特定することが可能なシールＩＤが用いられる。例えば、写真撮影システム１では、サーバー２００で前記プレイＩＤ及び前記シールＩＤ各々が発行されて写真撮影装置１００各々に提供され、写真撮影装置１００で１プレイごとに前記プレイＩＤ及び前記シールＩＤ各々が割り当てられる。この場合、写真撮影システム１では、前記プレイＩＤ及び前記シールＩＤの対応関係が既知である。また、前記プレイＩＤ及び前記シールＩＤ各々は写真撮影装置１００で発行されてもよく、この場合には、前記プレイＩＤ及び前記シールＩＤ各々の対応関係が写真撮影装置１００からサーバー２００に通知される。
【００３１】
なお、一つの前記プレイＩＤについて複数のユーザーが存在する場合には、その複数のユーザーに対応する複数の前記シールＩＤが発行されることがある。例えば、写真撮影装置１００では、複数のユーザーからユーザー名及び取得対象の画像データの選択などの個別設定を受け付けることが可能であり、そのユーザー毎に前記シールＩＤが割り当てられることがある。なお、前記画像識別情報として前記プレイＩＤが用いられてもよい。
【００３２】
送信処理部３１５は、カメラ１１による被写体の撮影に基づいて生成された前記送信用の画像データ各々を前記画像データに対応する前記シールＩＤと共にサーバー２００に送信する。より具体的に、送信処理部３１５は、前記送信用の画像データと、前記プレイＩＤと、一又は複数の前記シールＩＤと、前記シールＩＤごとに対応する前記個別設定の内容とを対応付けてサーバー２００に送信する。これにより、サーバー２００では、前記画像データ各々と前記プレイＩＤと前記シールＩＤと前記個別設定の内容とが受信され、後述の記憶部２０２の画像記憶部２２１に記憶される。また、前記画像データには、前記画像データの元画像が撮影された写真撮影装置１００の機種を識別可能な機種情報も付加されており、サーバー２００では、前記画像データ各々に前記機種情報が対応付けて画像記憶部２２１に記憶される。なお、前記シールＩＤに前記機種情報が含まれていてもよい。
【００３３】
情報出力部３１６は、前記シールＩＤが含まれるコード情報を生成すると共に、前記コード情報と前記印刷用の画像データとが予め設定されるレイアウトに従って配置される印刷データを生成し、前記印刷データをプリンター２４に送信する。前記コード情報は、バーコードなどの一次元コード又はＱＲコード（登録商標）などの二次元コードである。これにより、プリンター２４は、前記印刷データに基づいて前記画像データ及び前記コード情報をシールに印刷する。なお、前記シールに、前記コード情報と併せて前記シールＩＤが印刷されること、又は前記コード情報に代えて前記シールＩＤが印刷されることも考えられる。なお、本実施形態では、情報出力部３１６が前記コード情報を前記シールに印刷する場合について説明するが、情報出力部３１６が前記コード情報を前記操作表示部２１に表示させることも他の実施形態として考えられる。この場合、ユーザーは、前記操作表示部２１に表示される前記コード情報を通信端末３００で読み取ることが可能である。
【００３４】
［サーバー２００］
サーバー２００は、図３（Ａ）に示されるように、制御部２０１、記憶部２０２、及び通信Ｉ／Ｆ２０３などを備えるコンピューターであって、本発明における画像提供装置の一例である。
【００３５】
制御部２０１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性の記憶部であり、前記ＣＰＵが実行する各種の処理の一時記憶メモリー（作業領域）として使用される。そして、制御部２０１は、前記ＲＯＭ又は記憶部２０２に予め記憶された各種の制御プログラムを前記ＣＰＵで実行することによりサーバー２００を制御する。
【００３６】
記憶部２０２は、ハードディスク又はＳＳＤなどの不揮発性の記憶部である。記憶部２０２には、制御部２０１に後述の画像提供処理（図７参照）を実行させるための画像提供プログラムが記憶される。また、記憶部２０２には、制御部２０１に、インターネットなどの通信網Ｎ１を介して提供されるＷｅｂサイトの表示及び操作などを実行させるためのブラウザプログラムが記憶される。
【００３７】
さらに、記憶部２０２には、ユーザー情報記憶部２２０及び画像記憶部２２１が含まれる。
【００３８】
ユーザー情報記憶部２２０は、ユーザー各々の情報が登録されるユーザーリストＴ１が記憶される記憶領域である。なお、ユーザー各々の情報は、写真撮影装置１００又は通信端末３００などにおいてユーザーによって行われる新規登録操作又は登録変更操作などに応じて制御部２０１によって登録される。
【００３９】
ここに、図４は、ユーザーリストＴ１の一例を示す図である。図４に示されるように、ユーザーリストＴ１では、ユーザー各々を識別するためのユーザーＩＤごとに、パスワード、利用権限、及び登録日が対応付けて記憶されている。ユーザーＩＤ及び前記パスワードは、ユーザーがサーバー２００にログインする際の照合処理で用いられるログイン情報の一例である。
【００４０】
具体的に、サーバー２００は、通信端末３００からのアクセスに応じて、通信端末３００にユーザー登録画面を表示させ、通信端末３００のユーザー操作によって入力される前記ログイン情報を含むユーザー情報をユーザーリストＴ１に登録する。これにより、サーバー２００では、前記ログイン情報に基づくログイン処理が実行可能である。なお、ユーザー情報には、ユーザーの氏名、住所、連絡先などの情報が含まれていてもよい。
【００４１】
前記利用権限は、主に前記画像提供サービスにおいてユーザーが利用可能な機能の範囲を示す情報である。具体的には、写真撮影装置１００からサーバー２００に送信される複数の前記画像データのうち取得可能な画像データの数が前記利用権限によって異なることが考えられる。より具体的に、有料会員のような予め定められた特定会員は、通信端末３００を用いて取得可能な前記画像データの数が無料会員又は未登録者などの非特定会員よりも多いことが考えられる。例えば、非特定会員であるユーザーは、前記シールＩＤに対応する複数の前記画像データのうち写真撮影装置１００で予め取得対象として選択した画像データのみを取得可能であり、特定会員であるユーザーは、前記シールＩＤに対応する全ての前記画像データを取得可能であることが考えられる。
【００４２】
即ち、写真撮影システム１では、ユーザーが特定会員であるか否かに応じて、写真撮影装置１００で撮影された画像データのうち取得可能な画像データの数が変更される。これにより、特定会員の登録意欲及び登録継続意欲の向上が図られる。これに対し、後述するように、本実施形態に係る写真撮影システム１における画像編集方法では、特定会員の登録意欲及び登録継続意欲の更なる向上を図ることが可能である。
【００４３】
画像記憶部２２１は、一時画像記憶部２２２、専用画像記憶部２２３、及び素材画像記憶部２２４を含む。
【００４４】
一時画像記憶部２２２は、写真撮影装置１００から受信する画像データが一時的に記憶される記憶領域であって、複数のユーザーで共用される。前記画像データには、写真撮影装置１００で撮影された写真の画像データ、又は写真撮影装置１００で編集された後の画像データが含まれる。なお、制御部２０１は、一時画像記憶部２２２に記憶された前記画像データを、予め設定された保存期間の経過後に一時画像記憶部２２２から消去する。
【００４５】
専用画像記憶部２２３は、ユーザーごとに個別に対応する専用の記憶領域である。制御部２０１は、ユーザーが携帯端末３００を操作してサーバー２００にログインし、予め定められた取得操作を行った場合に、一時画像記憶部２２２からユーザーに対応する専用画像記憶部２２３に前記画像データを移動させることが可能である。なお、前記取得操作は、例えば前記シールＩＤの入力操作である。これにより、ユーザーは、携帯端末３００を操作してサーバー２００にログインすることにより、自己に対応する専用画像記憶部２２３内に記憶されている前記画像データを参照すること、又は前記画像データを携帯端末３００にダウンロードすることが可能である。
【００４６】
素材画像記憶部２２４には、写真撮影装置１００における画像データの編集に用いられる素材画像に対応する画像データ（以下、「素材データ」と称する）が記憶される。例えば、前記素材画像は、編集対象の画像の前面に合成されるフレーム画像又はスタンプ画像などである。なお、前記素材データは、写真撮影装置１００で画像データの編集（落書き処理）に用いられる素材画像の画像データと同一であってもよいが、写真撮影装置１００で画像データの編集に使用される素材画像と解像度又はサイズなどが異なる素材画像の画像データであってもよい。具体的に、前記素材データは、写真撮影装置１００で使用される素材画像よりも低解像度の画像又は小サイズの画像のような携帯端末用の素材画像の画像データであることが考えられる。また、素材画像記憶部２２４に記憶される素材データは、写真撮影装置１００で使用可能な素材画像の全てに対応する素材データであってもよいが、写真撮影装置１００で使用可能な素材画像のうち一部の素材画像に対応する素材データであってもよい。
【００４７】
前記フレーム画像は、例えば編集対象の画像の前面の予め定められた位置にメッセージ、図柄、又は模様などを合成して装飾するために用いられる画像である。なお、前記フレーム画像は、画像のトリミング領域を規定するものであってもよい。また、前記スタンプ画像は、編集対象の画像の前面に合成されるメッセージ、模様、図柄、キャラクタなどの画像である。なお、前記素材画像には、前記フレーム画像及び前記スタンプ画像に限らず、画像データの編集に用いられる他の画像が含まれていてもよい。例えば、前記素材画像には、画像の人物以外の背景領域に合成される文字、図柄、又は模様などの背景画像が含まれていてもよい。また、素材画像記憶部２２４に記憶される前記素材データは、例えば季節などに応じて更新されることがある。
【００４８】
さらに、素材画像記憶部２２４において、前記素材データ各々は、予め設定されたグループごとに記憶される。例えば、前記グループ各々は、写真撮影装置１００の機種に対応するグループ、季節（春夏秋冬）に対応するグループ、特定のイベント（夏休み、クリスマス、正月など）に対応するグループ、特定のキャラクタ又は人物に対応するグループなどである。
【００４９】
通信Ｉ／Ｆ２０３は、サーバー２００を有線又は無線で通信網Ｎ１に接続し、通信網Ｎ１を介して写真撮影装置１００又は通信端末３００等の外部機器との間でデータ通信を実行するための通信インターフェースである。
【００５０】
そして、サーバー２００において、制御部２０１は、提供処理部２１１などを含む。具体的に、制御部２０１は、前記ＣＰＵで前記画像提供プログラムに従った各種の処理を実行することによって提供処理部２１１として機能する。なお、提供処理部２１１は、回路モジュールであってもよい。
【００５１】
提供処理部２１１は、写真撮影装置１００から取得する画像データを通信端末３００のユーザーからの要求に応じて提供する。具体的に、本実施形態において、前記画像データの提供とは、ユーザーによる通信端末３００を用いた前記画像データのダウンロードを許可すること、メールなどを用いて通信端末３００に前記画像データを送信すること、又は通信端末３００に前記画像データを表示させることである。
【００５２】
また、提供処理部２１１は、画像データを編集する際に用いられる素材データを通信端末３００のユーザーからの要求に応じて提供する。具体的に、本実施形態において、前記素材データの提供は、前記画像データの提供と同様に、ユーザーによる通信端末３００を用いた前記素材データのダウンロードを許可すること、メールなどを用いて通信端末３００に前記素材データを送信すること、又は通信端末３００に前記素材データを表示させることである。
【００５３】
［通信端末３００］
通信端末３００は、ユーザーＩＤを用いてサーバー２００にログイン可能である。例えば、通信端末３００は、携帯電話、スマートフォン、又はタブレット端末などの携帯端末であり、通信網Ｎ１を介してサーバー２００に接続可能である。また、通信端末３００は、例えばノートパソコンなどのパーソナルコンピュータであってもよい。
【００５４】
通信端末３００は、図３（Ｂ）に示すように、制御部３０１、記憶部３０２、通信Ｉ／Ｆ３０３、カメラ３０４、及び操作表示部３０５などを備える。カメラ３０４は、任意の被写体を撮影するＣＣＤなどの撮像素子を備え、カメラ３０４で撮影される画像又は動画は記憶部３０２に記憶される。
【００５５】
制御部３０１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性の記憶部であり、前記ＣＰＵが実行する各種の処理の一時記憶メモリー（作業領域）として使用される。そして、制御部３０１は、前記ＲＯＭ又は記憶部３０２に予め記憶された各種の制御プログラムを前記ＣＰＵで実行することにより通信端末３００を制御する。
【００５６】
記憶部３０２は、フラッシュメモリーなどの不揮発性の記憶部であり、制御部３０１に後述の画像編集処理（図６参照）を実行させるための画像編集プログラムが記憶される記憶領域である。また、記憶部３０２には、制御部３０１に、インターネットなどの通信網Ｎ１を介して提供されるＷｅｂサイトの表示及び操作などを実行させるためのブラウザプログラムが記憶される。なお、前記画像編集プログラム又は前記ブラウザプログラムは、例えば通信網Ｎ１を介して所定のアプリケーションサーバーからダウンロードされて通信端末３００にインストールされる。
【００５７】
通信Ｉ／Ｆ３０３は、通信端末３００を無線で通信網Ｎ１に接続し、通信網Ｎ１を介してサーバー２００又は外部システム４００などの外部機器との間でデータ通信を実行するための通信インターフェースである。
【００５８】
操作表示部３０５は、表示部及び操作部を有する。前記表示部は、各種の情報を表示する液晶ディスプレイ又は有機ＥＬディスプレイなどである。前記操作部は、ユーザー操作を受け付けるハードキー又はタッチパネルなどである。
【００５９】
そして、制御部３０１は、取得処理部３２１、編集処理部３２２、及び削除処理部３２３を含む。具体的に、制御部３０１は、前記ＣＰＵにより前記画像編集プログラムに従った各種の処理を実行することにより、取得処理部３２１、編集処理部３２２、及び削除処理部３２３として機能する。なお、制御部３０１が電子回路である場合、取得処理部３２１、編集処理部３２２、及び削除処理部３２３は、それぞれの機能を実現する回路モジュールであってもよい。
【００６０】
取得処理部３２１は、サーバー２００にアクセスし、写真撮影装置１００から送信されてサーバー２００に記憶されている画像データ、又はサーバー２００に記憶されている素材データを取得するための処理を実行可能である。より具体的に、取得処理部３２１は、ユーザーによって入力されるシールＩＤをサーバー２００に送信した後、ユーザーによる取得操作に応じて、サーバー２００から前記シールＩＤに対応する画像データを取得し、記憶部３０２に記憶させる。また、取得処理部３２１は、ユーザーによって選択される素材データの取得要求をサーバー２００に送信して、サーバー２００から前記素材データを予め設定されたグループ単位で取得し、記憶部３０２に記憶させる。
【００６１】
編集処理部３２２は、記憶部３０２に記憶されている画像データを編集する編集処理を実行可能である。例えば、編集処理部３２２は、編集対象の画像の拡大、縮小、回転、トリミング、色補正、フィルタ補正などを前記編集処理として実行することが可能である。また、編集処理部３２２は、編集対象の画像にフレーム画像又はスタンプ画像などの付加画像を合成する合成処理を前記編集処理として実行することも可能である。削除処理部３２３は、サーバー２０から取得して記憶部３０２に記憶されている素材データをグループ単位で削除する削除処理を実行可能である。
【００６２】
以下、図５〜図７を参照しつつ、写真撮影システム１において、写真撮影装置１００、通信端末３００、サーバー２００各々で実行される処理の一例について説明する。なお、以下の説明では、図８〜図１３に示された各種の表示画面を必要に応じて参照する。
【００６３】
［写真撮影装置１００のメイン制御処理］
まず、図５を参照しつつ、写真撮影装置１００の制御装置３０において制御部３１により実行されるメイン制御処理について説明する。なお、制御部３１は、写真撮影装置１００の電源の投入により前記メイン制御処理を開始する。
【００６４】
＜ステップＳ１〜Ｓ２＞
まず、制御部３１は、予め設定されたデモ動画などを含むプレイ待機画面を操作表示部１２に表示させ（Ｓ１）、プレイ開始要求を待ち受ける（Ｓ２のＮｏ側）。例えば、制御部３１は、写真撮影装置１００に設けられた不図示の料金投入部に所定の金額が投入された場合に前記プレイ開始要求があったと判断する。また、制御部３１は、前記プレイ待機画面に表示されたスタートボタンが操作された場合に前記プレイ開始要求があったと判断してもよい。そして、制御部３１は、前記プレイ開始要求があったと判断すると（Ｓ２のＹｅｓ側）、処理をステップＳ３に移行させる。このとき、制御部３１は、前記プレイ開始要求に応じて当該プレイに前記プレイＩＤ及び前記シールＩＤ各々を割り当てる。
【００６５】
＜ステップＳ３〜Ｓ４＞
ステップＳ３において、制御部３１は、前記撮影処理を実行することにより、撮影コーナー１０内のユーザーをカメラ１１で撮影する。このとき、制御部３１は、カメラ１１によってユーザーを複数回撮影して複数の画像データを生成する。そして、ステップＳ４において、制御部３１は、前記落書き処理を実行することにより、カメラ１１で撮影された画像データ各々を、操作表示部２１に対するユーザー操作に応じて個別に編集する。なお、前記ステップＳ３〜Ｓ４は、制御部３１の撮影処理部３１１及び編集処理部３１２によって実行される。
【００６６】
＜ステップＳ５〜Ｓ６＞
その後、制御部３１は、前記落書き処理における編集内容を反映させた印刷用の画像データを生成し（Ｓ５）、その生成された印刷用の画像データをプリンター２４に送信して印刷させる（Ｓ６）。より具体的に、制御部３１は、前述したように前記印刷用の画像データと前記コード情報とを含む印刷データを生成し、その印刷データをプリンター２４に送信する。これにより、プリンター２４では、前記印刷データに基づいて前記印刷用の画像データと前記コード情報とが予め設定されるレイアウトでシールに印刷される。なお、前記ステップＳ５〜Ｓ６は、制御部３１の画像生成部３１３及び情報出力部３１６によって実行される。
【００６７】
＜ステップＳ７〜Ｓ８＞
また、制御部３１は、前記落書き処理における編集内容を反映させた送信用の画像データを生成し（Ｓ７）、その生成された送信用の画像データを記憶部３２に記憶させ（Ｓ８）、その画像データをサーバー２００に順次送信する（Ｓ９）。ここで、写真撮影装置１００では、前記画像データが、前記プレイＩＤと前記シールＩＤと前記シールＩＤごとに対応する前記個別設定の内容とに対応付けてサーバー２００に送信される。なお、前記ステップＳ７〜Ｓ９は、制御部３１の画像生成部３１３、記憶処理部３１４、及び送信処理部３１５によって実行される。
【００６８】
［通信端末３００側の画像編集処理］
次に、図６を参照しつつ、通信端末３００において制御部３０１により実行される画像編集処理について説明する。なお、当該画像編集処理は、ユーザーにより、通信端末３００に対して前記画像編集プログラムの起動操作が行われた場合に実行される。なお、当該画像編集処理は、ユーザーによる特定の終了操作によって途中で終了されることもある。
【００６９】
ところで、前述したように、ユーザーは、サーバー２００で提供される画像提供サービスについて、予め前記ユーザー登録画面を用いて前記ログイン情報を登録することにより、前記ログイン情報を用いて前記画像提供サービスにログインすることが可能である。一方、通信端末３００では、最初に前記画像編集プログラムが起動される際、サーバー２００にユーザー情報を登録するためのユーザー登録処理が実行されてもよい。具体的に、制御部３０１は、通信端末３００に前記ユーザー登録画面を表示させ、前記ユーザー登録画面で入力された前記ログイン情報をサーバー２００に送信する。これにより、サーバー２００では、通信端末３００から受信したユーザー情報がユーザーリストＴ１に登録される。
【００７０】
また、通信端末３００でも、制御部３０１が、前記ログイン情報を記憶部３０２に記憶しており、前記画像編集プログラムの起動時に、前記ログイン情報を用いて前記画像提供サービスに自動的にログインする自動ログイン処理を実行することが考えられる。なお、制御部３０１は、前記画像編集プログラムの起動ごとに前記ログイン情報の入力を受け付けてもよい。以下、通信端末３００で実行される画像編集処理では、前記画像編集プログラムの起動時にユーザーが前記画像提供サービスにログインした状態であることを前提に説明する。
【００７１】
＜ステップＳ１０＞
ステップＳ１０において、制御部３０１は、通信端末３００のユーザーが特定会員であるか否かを判断するための処理を実行する。具体的に、制御部３０１は、サーバー２００に前記ユーザーＩＤに対応するユーザーが特定会員であるか否かを示す会員情報の問い合せを送信し、サーバー２００からの返信される前記会員情報に基づいてユーザーが特定会員であるか否かを判断する。これにより、制御部３０１は、今後の処理において、通信端末３００のユーザーが特定会員であるか否かを判断することが可能である。
【００７２】
＜ステップＳ１１＞
ステップＳ１１において、制御部３０１は、前記画像編集プログラムの起動時に表示する初期画面として予め設定された表示画面Ｐ１を表示させる。ここに、図８は、前記初期画面の一例として表示される表示画面Ｐ１の一例を示す図である。
【００７３】
図８に示されるように、表示画面Ｐ１は、現在ログイン中の通信端末３００のユーザーに対応する専用画像記憶部２２３に記憶されている画像データを表示するための画面である。具体的に、表示画面Ｐ１では、当該ユーザーに対応付けてサーバー２００の専用画像記憶部２２３に記憶されている画像データが、当該画像データの写真が撮影された写真撮影装置１００の機種ごとに表示される。ここで、制御部３０１は、ユーザーにより取得対象の前記画像データが選択されて特定の保存操作が行われると、前記画像データを専用画像記憶部２２３からダウンロードによって取得し、記憶部３０２に記憶させる。
【００７４】
そして、表示画面Ｐ１では、表示領域Ｐ１１に写真撮影装置１００の機種各々に対応する操作キーＫ１１が表示されており、制御部３０１は、操作キーＫ１１の選択に応じて当該操作キーＫ１１に対応する写真撮影装置１００の機種で撮影された画像データを表示領域Ｐ１２に表示させる。なお、操作キーＫ１１には、写真撮影装置１００のイメージ画像及び機種名などが表示される。
【００７５】
また、制御部３０１は、表示領域Ｐ１２における上下方向のスクロール操作に応じて、表示領域Ｐ１２に表示される画像データを上下にスクロールさせて複数の画像データを順次表示させることが可能である。さらに、制御部３０１は、表示画面Ｐ１におけるユーザー操作に応じて、表示領域Ｐ１２に表示させる画像データを日付別で表示させることも可能である。
【００７６】
＜ステップＳ１２＞
ステップＳ１２において、制御部３０１は、ユーザーによって通信端末３００に対して画像データの取得操作が行われたか否かを判断する。具体的に、図８に示されるように、表示画面Ｐ１には、写真撮影装置１００で撮影された画像データの取得を開始するための操作キーＫ１２が表示されており、ステップＳ１２では、操作キーＫ１２が操作された場合に前記画像データの取得操作が行われたと判断される。そして、制御部３０１は、前記画像データの取得操作が行われたと判断されると（Ｓ１２：Ｙｅｓ）、処理をステップＳ１３に移行させ、前記画像データの取得操作が行われていなければ（Ｓ１２：Ｎｏ）、処理をステップＳ１４に移行させる。
【００７７】
＜ステップＳ１３＞
ステップＳ１３において、制御部３０１は、前記ステップＳ１１における取得操作に応じて、サーバー２００から画像データを取得するための処理を実行する。具体的に、制御部３０１は、サーバー２００にアクセスして前記画像提供サービスのウェブページを通信端末３００に表示させる。そして、制御部３０１は、ユーザーによる前記ウェブページへのシールＩＤの入力に応じて、前記シールＩＤをサーバー２００に送信する。これにより、サーバー２００では、制御部２０１によって、前記シールＩＤに対応する画像データが一時画像記憶部２２２から当該ユーザーに対応する専用画像記憶部２２３に移動される。即ち、当該ユーザーが通信端末３００を用いて前記画像データを取得可能な状態となる。このように、当該ユーザーに対応する専用画像記憶部２２３に前記画像データが記憶されると、その後、通信端末３００では、前記表示画面Ｐ１に前記画像データが表示され、ユーザーによる画像データの保存操作に応じて、制御部３０１によってサーバー２００から画像データがダウンロードされて記憶部３０２に記憶される。このとき、制御部３０１は、前記画像データ各々を当該画像データが撮影された写真撮影装置１００の機種を識別可能な機種情報と対応付けて記憶部３０２に記憶させる。これにより、表示画面Ｐ１における機種単位の画像データの表示などが可能となる。なお、制御部３０１は、前記画像データの取得方法としてダウンロードに代えて、サーバー２００から送信される前記画像データを受信するものであってもよい。
【００７８】
また、前述したように、制御部３０１がサーバー２００から取得可能な画像データは、ユーザーの利用権限によって異なる。具体的に、ユーザーが、有料会員のような特定会員である場合には、前記特定会員ではない無料会員又は未登録者に比べて取得可能な画像データの数が多いことが考えられる。これにより、特定会員の登録意欲及び登録継続意欲の向上が図られる。一方、後述するように、本実施形態に係る画像編集方法によれば、特定会員の登録意欲及び登録継続意欲の更なる向上が図られる。
【００７９】
＜ステップＳ１４＞
ステップＳ１４において、制御部３０１は、画像データの編集を開始するための編集開始操作が行われたか否かを判断する。具体的に、図８に示されるように、表示画面Ｐ１には、画像データの編集を開始するための操作キーＫ１３が表示されており、ステップＳ１３では、操作キーＫ１３が操作された場合に前記編集開始操作が行われたと判断される。そして、前記編集開始操作が行われたと判断されると（Ｓ１４：Ｙｅｓ）、処理がステップＳ１５に移行し、前記編集開始操作が行われるまでの間は（Ｓ１４：Ｎｏ）、処理が前記ステップＳ１２に戻される。
【００８０】
＜ステップＳ１５＞
ステップＳ１５において、制御部３０１は、編集対象となる画像データを選択するための処理を実行する。具体的に、制御部３０１は、編集対象となる画像データを選択するための編集開始画面Ｐ２を操作表示部３０５に表示させる。ここに、図９は、編集開始画面Ｐ２の一例を示す図である。
【００８１】
図９に示されるように、編集開始画面Ｐ２には、カメラ３０４を用いて新たに写真を撮影してその写真の画像データを編集対象とするための操作キーＫ２１と、記憶部３０２に既に記憶されている画像データを編集対象とするための操作キーＫ２２とが表示されている。
【００８２】
そして、制御部３０１は、操作キーＫ２１が操作された場合には、カメラ３０４を起動して、ユーザー操作に応じて撮影を行い、撮影された写真の画像データを編集対象として選択する。一方、操作キーＫ２２が操作された場合、制御部３０１は、記憶部３０２に記憶されている画像データの一覧を表示させ、その一覧からユーザー操作によって任意に選択される写真の画像データを編集対象として選択する。ここで選択可能な画像データは、写真撮影装置１００における撮影に基づいて生成された画像データ、カメラ３０４による撮影に基づいて生成された画像データ、メール又はＳＮＳ等を用いて取得した画像データ、或いはインターネットを用いてダウンロードした画像データなどである。また、制御部３０１は、編集開始画面Ｐ２において、サーバー２００の当該ユーザーに対応する専用画像記憶部２２３に記憶されている画像データから、編集対象の画像データをユーザー操作に応じて選択して、その画像データをサーバー２００からダウンロードし、その画像データを編集対象として選択することも考えられる。
【００８３】
＜ステップＳ１６＞
ステップＳ１６において、制御部３０１は、前記ステップＳ１５で選択された画像データの編集を行うための編集画面Ｐ３を操作表示部３０５に表示させる。ここに、図１０は、編集画面Ｐ３の一例を示す図である。
【００８４】
図１０に示されるように、編集画面Ｐ３には、編集対象の画像データが表示される表示領域Ｐ３１と、前記画像データに対する編集操作を行うための表示領域Ｐ３２とが表示されている。そして、制御部３０１は、表示領域Ｐ３１に表示されている画像データを、表示領域Ｐ３２における編集操作に応じて自動的に更新して表示させる。具体的に、表示領域Ｐ３２には、画像データの編集方法である「エフェクト」、「スタンプ」、「ペン」に対応する操作キーＫ３１、Ｋ３２、Ｋ３３が表示されている。
【００８５】
例えば、画像データの編集方法である「ペン」に対応する操作キーＫ３３が操作された場合、制御部３０１は、写真撮影装置１００で一般的に行われる落書き編集処理と同様に、ユーザー操作に応じて、各種の形状又は色のペンで編集対象の画像に対して任意に書き込みを行う。なお、表示領域Ｐ３２には、画像データの編集を終了するための操作キーＫ３４が表示されており、制御部３０１は、操作キーＫ３４の操作に応じて画像データの編集を終了して編集後の画像データを記憶部３０２に記憶させる。
【００８６】
また、図１０では、表示領域Ｐ３２において、操作キーＫ３１が操作され、画像データの編集方法として「エフェクト」が選択された状態の編集画面Ｐ３が示されている。そして、表示領域Ｐ３２では、「エフェクト」の編集内容について、「カラー」、「フィルタ」、「フレーム」に対応するタブキーＫ３５、Ｋ３６、Ｋ３７が表示されている。具体的に、「カラー」は、画像自体の配色を変更することであり、「フィルタ」は、画像の前面にフィルタを重ねて画像にグラデーション等を施すことである。また、「フレーム」は、画像の前面に前記フレーム画像を合成することである。
【００８７】
そして、図１０に示されるように、「エフェクト」の編集内容として「フレーム」が選択されている場合には、画像に合成するフレーム画像の選択候補が表示領域Ｐ３３に表示される。これにより、ユーザーは、表示領域Ｐ３３において任意のフレーム画像を選択することが可能である。なお、制御部３０１は、表示領域Ｐ３３における左右方向のスクロール操作に応じて複数のフレーム画像を左右にスクロールさせて順次表示させることが可能である。前記フレーム画像は、前記フレーム画像が編集時に使用される写真撮影装置１００の機種毎に表示されてもよい。
【００８８】
また、表示領域Ｐ３３には、フレーム画像のアスペクト比を選択するための操作キーＫ３８、及びフレーム画像を新たに追加するための操作キーＫ３９も表示されている。具体的に、記憶部３０２には、フレーム画像各々について、アスペクト比が異なる複数のフレーム画像がサーバー２００から取得されて記憶されており、制御部３０１は、操作キーＫ３８の操作に応じて選択されたアスペクト比に対応するフレーム画像を表示領域Ｐ３３に表示させる。また、後述するように、操作キーＫ３９が操作されると、制御部３０１は、フレーム画像をサーバー２００から取得するための処理（ステップＳ２０）を実行する。
【００８９】
また、図１１には、表示領域Ｐ３２において、操作キーＫ３２が操作され、画像データの編集方法として「スタンプ」が選択された場合に表示されるスタンプ選択画面Ｐ４が示されている。表示領域Ｐ４１には、写真撮影装置１００の機種各々に対応する操作キーＫ４１が表示されている。なお、操作キーＫ４１には、写真撮影装置１００のイメージ画像及び機種名などが表示される。そして、制御部３０１は、操作キーＫ４１の選択に応じて、当該操作キーＫ４１に対応する写真撮影装置１００の機種で使用可能なスタンプ画像を選択候補として表示領域Ｐ４２に表示させる。即ち、表示領域Ｐ４２には、写真撮影装置１００の機種単位（グループ単位）で選択候補のスタンプ画像が表示される。また、写真撮影装置１００の機種は、予め設定されたグループの一例に過ぎず、例えば操作キーＫ４１は、季節、イベント、キャラクタ、又は人物などに関して纏められたグループごとに表示されてもよい。なお、表示領域Ｐ４２には、前記スタンプ画像各々が操作キーＫ４２として表示されており、制御部３０２は、操作キーＫ４２の操作に応じて、当該操作キーＫ４２に対応するスタンプ画像を、今回使用するスタンプ画像として選択する。
【００９０】
ところで、表示領域Ｐ４２では、操作キーＫ４２のうち、通信端末３００でログイン中のユーザーが使用できないスタンプ画像に対応する操作キーＫ４２Ａには、使用できない旨を示す図柄又はメッセージ等の画像Ｐ４３が表示されている。これにより、ユーザーは、スタンプ画像各々について使用可否を判断することが可能である。より具体的に、制御部３０１は、通信端末３００のユーザーが現在も特定会員である場合に、前記スタンプ画像各々の使用が可能であると判断する。また、記憶部３０２では、サーバー２００からの取得時にユーザーが特定会員であったか否かを示す前記会員情報がスタンプ画像に対応付けて記憶されており、制御部３０１は、前記会員情報に基づいて、取得時にユーザーが特定会員であったスタンプ画像も使用可能なスタンプ画像であると判断する。
【００９１】
また、表示領域Ｐ４２には、スタンプ画像を新たに追加するための操作キーＫ４３も表示されている。そして、後述するように、操作キーＫ４３が操作されると、制御部３０１は、スタンプ画像をサーバー２００から取得するための処理（ステップＳ２０）を実行する。
【００９２】
＜ステップＳ１７＞
ステップＳ１７において、制御部３０１は、素材データの選択を開始するための選択開始操作が行われたか否かを判断する。具体的に、制御部３０１は、編集画面Ｐ３（図１０参照）の操作キーＫ３７又は操作キーＫ３２が操作された場合に、前記素材データの選択開始操作が行われたと判断する。そして、前記素材データの選択開始操作が行われたと判断されると（Ｓ１７：Ｙｅｓ）、処理がステップＳ１８に移行し、前記素材データの選択開始操作が行われていなければ（Ｓ１７：Ｎｏ）、処理がステップＳ１７１に移行する。
【００９３】
＜ステップＳ１７１＞
ステップＳ１７１において、制御部３０１は、通信端末３００の操作表示部３０５に対する各種の編集操作を受け付け、その編集操作に応じて画像データに対応する画像を編集する画像編集処理を実行する。その後、処理はステップＳ２４に移行する。例えば、ステップＳ１７１では、前述したように、「ペン」が選択された場合に、ユーザー操作に応じて、各種の形状又は色のペンで画像に対して任意に書き込みが行われる。また、「エフェクト」の「カラー」が選択された場合には、ユーザー操作に応じて画像自体の配色が変更され、「フィルタ」が選択された場合には、ユーザー操作に応じて画像の前面にフィルタを重ねて画像にグラデーション等が施される。
【００９４】
＜ステップＳ１８＞
ステップＳ１８において、制御部３０１は、前述したように、前記ステップＳ１７で操作されたと判断された操作キーＫ３２又はＫ３７に対応する素材データの選択候補を操作表示部３０５に表示させる。具体的に、操作キーＫ３７が操作された場合には、図１０に示されるように、編集画面Ｐ３にフレーム画像の選択候補が表示され、操作キーＫ３２が操作された場合には、図１１に示されるように、スタンプ選択画面Ｐ４にスタンプ画像の選択候補が表示される。
【００９５】
＜ステップＳ１９＞
ステップＳ１９において、制御部３０１は、ユーザーによって通信端末３００に対して素材データの取得操作が行われたか否かを判断する。具体的に、制御部３０１は、編集画面Ｐ３の操作キーＫ３９又はスタンプ選択画面Ｐ４の操作キーＫ４３が操作された場合に、前記素材データの取得操作が行われたと判断する。そして、前記素材データの取得操作が行われたと判断されると（Ｓ１９：Ｙｅｓ）、処理がステップＳ２０に移行し、前記素材データの取得操作が行われていなければ（Ｓ１９：Ｎｏ）、処理が前記ステップＳ２１に移行する。
【００９６】
＜ステップＳ２０＞
ステップＳ２０において、制御部３０１は、前記ステップＳ１９における取得操作に応じて、サーバー２００から素材データを取得するための処理を実行する。ここに、前記ステップＳ２０が本発明に係る取得ステップの一例であり、前記取得ステップは制御部３０１の取得処理部３２１によって実行される。具体的に、制御部３０１は、サーバー２００にアクセスして前記素材データの取得を開始するための素材取得画面Ｐ１０を通信端末３００に表示させる。ここに、図１２は、素材取得画面Ｐ１０の一例を示す図である。なお、前記ステップＳ２０の処理が終了すると、素材取得画面Ｐ１０が閉じられ、編集画面Ｐ３又はスタンプ選択画面Ｐ４が表示される。
【００９７】
図１２に示されるように、素材取得画面Ｐ１０では、素材取得画面Ｐ１０の最上部に配置された表示領域Ｐ５１に、前記素材データを写真撮影装置１００の機種ごとに表示させるための操作キーＫ５１が表示されている。なお、操作キーＫ５１には、写真撮影装置１００のイメージ画像及び機種名などが表示される。また、写真撮影装置１００の機種は、予め設定されたグループの一例に過ぎず、例えば操作キーＫ５１は、季節、イベント、キャラクタ、又は人物などに関して纏められたグループごとに表示されてもよい。
【００９８】
そして、制御部３０１は、操作キーＫ５１の操作に応じて、当該操作キーＫ５１に対応する写真撮影装置１００の機種で画像データの編集時に使用可能な素材画像に対応する素材データを取得候補として、素材取得画面Ｐ１０の表示領域Ｐ５２及び表示領域Ｐ５３に表示させる。具体的に、表示領域Ｐ５２には、フレーム画像の取得候補が表示されており、表示領域Ｐ５３には、スタンプ画像の取得候補が表示されている。
【００９９】
また、制御部３０１は、表示領域Ｐ５２において、表示領域Ｐ５１で選択された操作キーＫ５１に対応するフレーム画像が表示された操作キーＫ５２１を表示させる。なお、図１２では、操作キーＫ５２１上の表示を一部省略しているが、操作キーＫ５２１各々には、前記フレーム画像が表示される。また、制御部３０１は、表示領域Ｐ５２において、取得できないフレーム画像に対応する操作キーＫ５２１には、取得できない旨を示す図柄又はメッセージ等の画像Ｐ５２２を表示させる。具体的に、制御部３０１は、前記ステップＳ１０で特定会員でないと判断された場合には、特定会員でなければ取得できないフレーム画像として予め設定されたフレーム画像の操作キーＫ５２１Ａに画像Ｐ５２２を表示させる。一方、制御部３０１は、前記ステップＳ１０で特定会員であると判断された場合には、操作キーＫ５２１Ａに画像Ｐ５２２を表示させない。これにより、ユーザーは、フレーム画像各々について取得可否を判断することが可能である。なお、制御部３０１は、操作キーＫ５２１の操作に応じて当該操作キーＫ５２１に対応するフレーム画像を拡大表示させる。
【０１００】
また、表示領域Ｐ５２には、表示領域Ｐ５２に表示されているフレーム画像を取得するための操作キーＫ５２３と、表示領域Ｐ５２に表示されているフレーム画像を記憶部３０２から削除するための操作キーＫ５２４とが表示されている。そして、制御部３０１は、操作キーＫ５２３が操作された場合には、表示領域Ｐ５２に表示されている全ての前記フレーム画像をサーバー２００からダウンロードして記憶部３０２に記憶させる。即ち、制御部３０１は、前記フレーム画像を操作キーＫ５１で選択された写真撮影装置１００の機種の単位（グループ単位）で取得することが可能である。また、制御部３０１は、サーバー２００から前記フレーム画像と共に送信される前記会員情報も受信し、当該会員情報を前記フレーム画像各々に対応付けた状態で前記フレーム画像を記憶部３０２に記憶させる。
【０１０１】
なお、前記フレーム画像各々が個別に取得可能又は削除可能な構成も他の実施形態として考えられる。また、表示領域Ｐ５２に表示されているフレーム画像が取得済みである場合には操作キーＫ５２３がグレーアウトして選択不可となって操作キーＫ５２４が操作可能となり、表示領域Ｐ５２に表示されているフレーム画像が取得済みでない場合には操作キーＫ５２４がグレーアウトして選択不可となって操作キーＫ５２３が操作可能となることも考えられる。
【０１０２】
制御部３０１は、操作キーＫ５２４が操作された場合には、表示領域Ｐ５２に表示されている全ての前記フレーム画像を記憶部３０２から削除する削除ステップを実行する。即ち、制御部３０１は、前記フレーム画像を写真撮影装置１００の機種の単位（グループ単位）で削除することが可能である。これにより、ユーザーは、不要な前記フレーム画像を容易に削除することができる。なお、前記削除ステップは、制御部３０１の削除処理部３２３によって実行される。
【０１０３】
同じく、制御部３０１は、表示領域Ｐ５３において、表示領域Ｐ５１で選択された操作キーＫ５１に対応するスタンプ画像が表示された操作キーＫ５３１を表示させる。なお、図１２では、操作キーＫ５３１上の表示を一部省略しているが、操作キーＫ５３１各々には、前記スタンプ画像が表示される。また、制御部３０１は、表示領域Ｐ５３において、操作キーＫ５３１のうち取得できないスタンプ画像に対応する操作キーＫ５３１Ａには、取得できない旨を示す図柄又はメッセージ等の画像Ｐ５３２を表示させる。具体的に、制御部３０１は、前記ステップＳ１０で特定会員でないと判断された場合には、特定会員でなければ取得できないスタンプ画像として設定されたスタンプ画像の操作キーＫ５３１Ａに画像Ｐ５３２を表示させる。一方、制御部３０１は、前記ステップＳ１０で特定会員であると判断された場合には、操作キーＫ５３１Ａに画像Ｐ５３２を表示させない。これにより、ユーザーは、スタンプ画像各々について取得可否を判断することが可能である。なお、制御部３０１は、操作キーＫ５３１の操作に応じて当該操作キーＫ５３１に対応するスタンプ画像を拡大表示させる。
【０１０４】
また、表示領域Ｐ５３には、表示領域Ｐ５３に表示されているスタンプ画像を取得するための操作キーＫ５３３と、表示領域Ｐ５３に表示されているスタンプ画像を記憶部３０２から削除するための操作キーＫ５３４とが表示されている。そして、制御部３０１は、操作キーＫ５３３が操作された場合には、表示領域Ｐ５２に表示されている全ての前記スタンプ画像をサーバー２００からダウンロードして記憶部３０２に記憶させる。即ち、制御部３０１は、前記スタンプ画像を写真撮影装置１００の機種の単位（グループ単位）で取得することが可能である。また、制御部３０１は、サーバー２００から前記スタンプ画像と共に送信される前記会員情報も受信し、当該会員情報を前記スタンプ画像各々に対応付けた状態で前記スタンプ画像を記憶部３０２に記憶させる。
【０１０５】
なお、前記スタンプ画像各々が個別に取得可能又は削除可能な構成も他の実施形態として考えられる。また、表示領域Ｐ５３に表示されているスタンプ画像が取得済みである場合には操作キーＫ５３３がグレーアウトして選択不可となって操作キーＫ５３４が操作可能となり、表示領域Ｐ５３に表示されているスタンプ画像が取得済みでない場合には操作キーＫ５３４がグレーアウトして選択不可となって操作キーＫ５３３が操作可能となることも考えられる。
【０１０６】
制御部３０１は、操作キーＫ５３４が操作された場合には、表示領域Ｐ５３に表示されている全ての前記スタンプ画像を記憶部３０２から削除する削除ステップを実行する。即ち、制御部３０１は、前記スタンプ画像を写真撮影装置１００の機種の単位（グループ単位）で削除することが可能である。これにより、ユーザーは、不要な前記スタンプ画像を容易に削除することができる。なお、前記削除ステップは、制御部３０１の削除処理部３２３によって実行される。
【０１０７】
さらに、素材取得画面Ｐ１０には、表示領域Ｐ５２に表示されている前記フレーム画像及び表示領域Ｐ５３に表示されている前記スタンプ画像の全てを一括して取得するための操作キーＫ５４が表示されている。そして、制御部３０１は、前記ステップＳ１０でユーザーが特定会員であると判断された場合に、操作キーＫ５４が操作された場合には、操作キーＫ５２３又は操作キーＫ５３３が操作された場合と同様に、前記フレーム画像及び前記スタンプ画像各々をサーバー２００からダウンロードして前記会員情報と対応付けた状態で記憶部３０２に記憶させる。
【０１０８】
一方、前記ステップＳ１０でユーザーが特定会員でないと判断された場合に、操作キーＫ５４が操作された場合には、前記フレーム画像及び前記スタンプ画像各々をサーバー２００からダウンロードせず、予め設定された確認画面Ｐ２０を操作表示部３０５に表示させる。例えば、確認画面Ｐ２０は、素材取得画面Ｐ１０上にポップアップ表示される。
【０１０９】
ここに、図１３は、確認画面Ｐ２０の一例を示す図である。図１３に示されるように、確認画面Ｐ２０には、特定会員の登録によって全ての素材データが使用可能になる旨を示すメッセージ等が表示されると共に、特定会員の登録を開始するための操作キーＫ６１が表示される。そして、制御部３０１は、操作キーＫ６１が操作されると、予め設定された特定会員の登録を行うための特定会員登録画面（不図示）を操作表示部３０５に表示させ、ユーザー操作に応じて入力されるユーザーの情報をサーバー２００に送信する。これにより、サーバー２００では、ユーザーを特定会員として登録するための処理が実行される。
【０１１０】
なお、確認画面Ｐ２０には、特定会員の登録を行うことなく素材データを取得するための操作キーＫ６２も表示されている。制御部３０１は、操作キーＫ６２が操作された場合には、操作キーＫ５２３又は操作キーＫ５３３が操作された場合と同様に、前記フレーム画像及び前記スタンプ画像各々をサーバー２００からダウンロードして前記会員情報と対応付けた状態で記憶部３０２に記憶させる。
【０１１１】
このように、通信端末３００において、制御部３０１は、通信端末３００のユーザーが特定会員である場合及び特定会員でない場合のいずれの場合でも同一の前記素材データをサーバー２００から取得することになる。但し、後述するように、制御部３０１は、通信端末３００のユーザーが現在特定会員でない場合であって、記憶部３０２に記憶された素材データ各々のうち取得時にユーザーが特定会員でなかった素材データについては使用を制限する。一方、制御部３０１は、通信端末３００のユーザーが現在特定会員である場合には、記憶部３０２に記憶された素材データ各々の使用を許可する。また、制御部３０１は、記憶部３０２に記憶された素材データ各々のうち、現在は特定会員でないが取得時にはユーザーが特定会員であった素材データについても使用を許可する。これにより、前記素材データの取得後に特定会員になった場合でも、前記素材データの再ダウンロードを行うことなく前記素材データ各々を使用することが可能となる。
【０１１２】
また、図１２に示されるように、素材取得画面Ｐ１０の最下端には、表示領域Ｐ５２に表示されている前記フレーム画像及び表示領域Ｐ５３に表示されている前記スタンプ画像を一括して記憶部３０２から削除するための操作キー５５が表示される。ここで、制御部３０１は、表示領域Ｐ５２に表示されている前記フレーム画像及び表示領域Ｐ５３に表示されている前記スタンプ画像の少なくとも一方が記憶部３０２に既に記憶されていることを条件に操作キーＫ５５を表示させることが考えられる。即ち、制御部３０１は、表示領域Ｐ５２に表示されている前記フレーム画像及び表示領域Ｐ５３に表示されている前記スタンプ画像の少なくとも一方が記憶部３０２に記憶されていない場合には、素材取得画面Ｐ１０に操作キーＫ５５を表示させないことが考えられる。そして、制御部３０１は、操作キーＫ５５が操作されると、操作キーＫ５２４又は操作キーＫ５３４が操作された場合と同様に、前記フレーム画像及び前記スタンプ画像各々を記憶部３０２から削除する。
【０１１３】
＜ステップＳ２１＞
ステップＳ２１において、制御部３０１は、編集画面Ｐ３又はスタンプ選択画面Ｐ４に表示されている素材データのいずれかが選択されたか否かを判断する。そして、前記素材データが選択されたと判断されると（Ｓ２１：Ｙｅｓ）、処理がステップＳ２２に移行し、前記素材データが選択されていない場合には（Ｓ２１：Ｎｏ）、処理が前記ステップＳ１９に戻る。
【０１１４】
＜ステップＳ２２＞
ステップＳ２２において、制御部３０１は、前記ステップＳ２１で選択されたと判断された前記素材データが、通信端末３００のユーザーが使用可能な素材データであるか否かを判断する。具体的に、制御部３０１は、前記ステップＳ１０において通信端末３００のユーザーが現在特定会員であると判断された場合には、全ての前記素材データについて使用可能であると判断する。また、制御部３０１は、前記ステップＳ１０において通信端末３００のユーザーが現在特定会員でないと判断された場合であっても、前記素材データに対応付けて記憶されている前記会員情報に基づいて、取得時にユーザーが特定会員であった素材データについては使用可能であると判断する。一方、前記ステップＳ１０において通信端末３００のユーザーが現在特定会員でないと判断された場合であって、前記素材データに対応付けて記憶されている前記会員情報に基づいて、取得時にもユーザーが特定会員でなかった素材データについては使用不可であると判断する。
【０１１５】
そして、前記ステップＳ２１で選択された前記素材データが使用可能であると判断されると（Ｓ２２：Ｙｅｓ）、処理がステップＳ２３に移行し、前記ステップＳ２１で選択された前記素材データが使用可能でないと判断されると（Ｓ２２：Ｎｏ）、処理が前記ステップＳ２０に戻される。即ち、制御部３０１は、前記画像データの編集時に使用可能な前記素材データを、通信端末３００のユーザーが予め設定された特定会員であるか否かに応じて変更する。また、前記ステップＳ２１で選択された前記素材データが使用可能でないと判断された場合には、前記素材データを取得するための処理（Ｓ２０）が実行されることになるため、ユーザーが特定会員でない場合に前記特定会員の登録が促される。
また、前記ステップＳ２１で選択された前記素材データが使用可能でないと判断された場合には、前記確認画面Ｐ２０が表示されてもよい。なお、前記ステップＳ２１で選択された前記素材データが使用可能でないと判断された場合に前記素材データの選択操作が無視されて処理が前記ステップＳ１９に戻されること、又は使用可能ではない前記素材データの選択操作そのものが受け付けられないことも考えられる。
【０１１６】
なお、本実施形態では、前記スタンプ画像については、使用可能なスタンプ画像だけでなく使用可能でないスタンプ画像も前記スタンプ選択画面Ｐ４に表示されるため、使用可能でないスタンプ画像がユーザーによって選択されることがある。一方、前記フレーム画像については、前記編集画面Ｐ３の表示領域を有効利用するため、使用可能なフレーム画像だけが前記編集画面Ｐ３に表示され、使用可能でないフレーム画像は前記編集画面Ｐ３に表示されない。そのため、使用可能でない前記フレーム画像が選択されることはないが、使用可能でないフレーム画像が前記編集画面Ｐ３に表示されることも他の実施形態として考えられる。
【０１１７】
＜ステップＳ２３＞
ステップＳ２３において、制御部３０１は、前記ステップＳ２１で選択されたと判断された素材データに対応する素材画像を編集対象の画像に合成する編集処理を実行する。このように、前記ステップＳ１６〜ステップＳ２３において、前記素材データを用いて前記画像データを編集するための処理が、本発明に係る編集ステップの一例であり、係る編集ステップは制御部３０１の編集処理部３２２によって実行される。
【０１１８】
例えば、前記素材画像がスタンプ画像である場合、制御部３０１は、編集画面Ｐ３の表示画像に前記スタンプ画像を合成して表示させると共に、ユーザー操作に応じて前記スタンプ画像の位置、サイズ、回転角度などを任意に調整し、編集対象の画像に合成することが可能である。また、前記素材画像がフレーム画像である場合、制御部３０１は、編集画面Ｐ３の表示画像に前記フレーム画像を合成して表示させると共に、ユーザー操作に応じて前記フレーム画像の位置又はサイズなどを任意に調整し、編集対象の画像に合成することが可能である。なお、制御部３０１は、編集対象の画像のうち前記フレーム画像の外側に位置する画像を削除するトリミング処理も実行する。このように、通信端末３００では、画像データを編集する際に、写真撮影装置１００における画像データの編集で用いられる素材画像と同様の素材画像を用いることが可能であり、写真撮影装置１００で用いるために生成された素材画像を有効活用することが可能である。
【０１１９】
＜ステップＳ２４＞
ステップＳ２４において、制御部３０１は、画像データの編集終了操作が行われたか否かを判断する。例えば、制御部３０１は、編集画面Ｐ３の操作キーＫ３４が操作された場合に、画像データの編集終了操作が行われたと判断する。そして、画像データの編集終了操作が行われなければ（Ｓ２４：Ｎｏ）、処理は前記ステップＳ１７に戻され、画像データの編集終了操作が行われたと判断されると（Ｓ２４：Ｙｅｓ）、処理がステップＳ２５に移行する。
【０１２０】
＜ステップＳ２５＞
ステップＳ２５において、制御部３０１は、編集画面Ｐ３において編集された編集対象の画像に対応する画像データを記憶部３０２に記憶させ、前記画像データを編集対象とする一連の前記画像編集処理を終了させ、処理を前記ステップＳ１０に戻す。なお、前記画像編集処理は、当該画像編集処理の実行中に前記画像編集プログラムの実行を終了するための所定の操作が行われた場合にも終了する。
【０１２１】
［サーバー２００の画像提供処理］
続いて、図７を参照しつつ、サーバー２００において制御部２０１により実行される画像提供処理について説明する。なお、前記画像提供処理は、制御部２０１の提供処理部２１１によって実行される。また、本実施形態では、前記画像提供処理に、ステップＳ３１〜Ｓ３２、Ｓ３３〜Ｓ３４、Ｓ３５〜Ｓ３６、Ｓ３７〜Ｓ３８の４種類の割込処理が含まれる場合を例に挙げて説明するが、各割込処理が個別の処理として実行されてもよい。即ち、制御部２０１が、ステップＳ３２、Ｓ３４、Ｓ３６、Ｓ３８を実行するか否かが判断されるステップＳ３１、Ｓ３３、Ｓ３５、及びＳ３７の処理を略並行して実行することができれば、その処理手順はここで説明するものに限らない。
【０１２２】
＜ステップＳ３１＞
ステップＳ３１において、制御部２０１は、写真撮影装置１００から画像データを受信したと判断すると（Ｓ３１：Ｙｅｓ）、処理をステップＳ３２に移行させ、前記画像データを受信していないと判断した場合は（Ｓ３１：Ｎｏ）、処理をステップＳ３３に移行させる。
【０１２３】
＜ステップＳ３２＞
ステップＳ３２において、制御部２０１は、前記画像データを前記画像データのヘッダー等に付されている写真撮影装置１００の機種情報及びシールＩＤ等と対応付けて記憶部２０２の一時画像記憶部２２２に記憶させる。これにより、制御部２０１は、前記シールＩＤに基づいて前記画像データを特定し、記憶部２０２の一時画像記憶部２２２から読み出すことが可能である。具体的に、制御部２０１は、ユーザーによる取得操作に応じて、一時画像記憶部２２２に記憶されている画像データを当該ユーザーに対応する専用画像記憶部２２３に記憶させる。なお、写真撮影装置１００からは、前記画像データの他に前記プレイＩＤと前記シールＩＤごとの前記個別設定の情報とが含まれており、これらの情報も前記シールＩＤに対応付けて記憶される。
【０１２４】
＜ステップＳ３３＞
ステップＳ３３において、制御部２０１は、通信端末３００によるログイン操作が行われたか否かを判断する。ここで、前記ログイン操作が行われたと判断されると（Ｓ３３：Ｙｅｓ）、処理がステップＳ３４に移行し、前記ログイン操作が行われていない場合（Ｓ３３：Ｎｏ）、処理がステップＳ３５に移行する。
【０１２５】
＜ステップＳ３４＞
ステップＳ３４において、制御部２０１は、通信端末３００によって入力された前記ログイン情報に基づいてユーザーを認証するユーザー認証処理を実行する。具体的に、制御部２０１は、予めユーザーリストＴ１に登録されている組み合わせでユーザーＩＤ及びパスワードが通信端末３００から入力された場合に、当該組み合わせに対応するユーザーとして特定し、当該ユーザーを前記画像提供サービスにログインさせる。なお、制御部２０１は、通信端末３００による所定のログアウト操作又はログイン後の所定時間経過によりユーザーを前記画像提供サービスからログアウトさせる。
【０１２６】
＜ステップＳ３５＞
ステップＳ３５において、制御部２０１は、通信端末３００で実行される前記画像編集処理のステップＳ１３における画像データの取得要求が行われたか否かを判断する。そして、前記画像データの取得要求が行われたと判断された場合（Ｓ３５：Ｙｅｓ）、処理がステップＳ３６に移行し、前記画像データの取得要求が行われていなければ（Ｓ３５：Ｎｏ）、処理がステップＳ３７に移行する。
【０１２７】
＜ステップＳ３６＞
ステップＳ３６において、制御部２０１は、通信端末３００から要求された前記シールＩＤに対応する前記画像データを提供する画像データ提供処理を実行する。但し、制御部２０１は、前記画像データの取得要求を送信した通信端末３００が未ログイン状態である場合には、前記ステップＳ３４のユーザー認証処理を実行した後、前記画像データ提供処理を実行する。
【０１２８】
具体的に、前記ステップＳ３６において、制御部２０１は、前記シールＩＤに対応する前記画像データを、一時画像記憶部２２２からユーザーＩＤに対応する専用画像記憶部２２３に移動させることにより、前記画像データをユーザーＩＤに対応するユーザーに提供する。これにより、ユーザーは、自己に対応する専用画像記憶部２２３にアクセスして前記画像データを参照又は通信端末３００にダウンロードすることが可能である。なお、当該ステップＳ３６で実行される前記画像データ提供処理は、制御部２０１の提供処理部２１１によって実行される。
【０１２９】
＜ステップＳ３７＞
ステップＳ３７において、制御部２０１は、通信端末３００で実行される前記画像編集処理のステップＳ２０における素材データの取得要求が行われたか否かを判断する。そして、前記素材データの取得要求が行われたと判断された場合（Ｓ３７：Ｙｅｓ）、処理がステップＳ３８に移行し、前記素材データの取得要求が行われていなければ（Ｓ３７：Ｎｏ）、処理が前記ステップＳ３１に戻る。
【０１３０】
＜ステップＳ３８＞
ステップＳ３８において、制御部２０１は、通信端末３００から要求された前記素材データを提供する素材データ提供処理を実行する。但し、制御部２０１は、前記素材データの取得要求を送信した通信端末３００が未ログイン状態である場合には、前記ステップＳ３４のユーザー認証処理を実行した後、前記素材データ提供処理を実行する。
【０１３１】
具体的に、前記ステップＳ３８において、制御部２０１は、前記素材データを通信端末３００に送信し、又は、通信端末３００による前記素材データのダウンロードを開始させる。なお、当該ステップＳ３８で実行される前記素材データ提供処理は、制御部２０１の提供処理部２１１によって実行される。
【０１３２】
以上説明したように、本実施形態に係る写真撮影システム１で実行される画像編集方法によれば、ユーザーが有料会員などの予め定められた特定会員である場合に、前記画像編集処理における画像データの編集時に使用可能な素材画像が、前記特定会員でない場合に比べて多くなる。従って、ユーザーの特定会員の登録意欲及び登録継続意欲が高められる。
【０１３３】
また、本実施形態では、通信端末３００において、使用可能な前記素材データが、通信端末３００のユーザーが予め設定された特定会員であるか否かに応じて変更される場合について説明した。一方、サーバー２００の提供処理部２１１が、前記ステップＳ３８において、ユーザーリストＴ１に基づいて通信端末３００のユーザーが特定会員でないと判断した場合に、通信端末３００に提供可能な前記素材データを制限することも他の実施形態として考えられる。これにより、結果的に、通信端末３００では、使用可能な前記素材データが、通信端末３００のユーザーが特定会員であるか否かに応じて変更されることになる。即ち、写真撮影システム１全体として、通信端末３００で使用可能な前記素材データが、その通信端末３００のユーザーが予め設定された特定会員であるか否かに応じて切り替えられる構成であればよい。
【０１３４】
また、写真撮影システム１において、サーバー２００の提供処理部２１１が、前記取得ステップにおいて取得可能な素材データを、通信端末３００のユーザーが利用したことのある写真撮影装置１００の機種に関連する素材データに限定することが考えられる。即ち、ユーザーは、過去に写真を撮影したことがある写真撮影装置１００に関連する素材データのみを取得可能であることが考えられる。例えば、サーバー２００では、写真撮影装置１００から送信される画像データが記憶される際に、ユーザーの使用履歴として写真撮影装置１００の機種を識別するための識別情報がユーザーリストＴ１に対応付けて蓄積して記憶されることが考えられる。これにより、提供処理部２１１は、ユーザーが利用したことがある写真撮影装置１００の機種を特定し、ユーザーが利用したことのある写真撮影装置１００の機種のみに関連する素材データを提供することが可能になる。
【０１３５】
また、写真撮影システム１において、サーバー２００の提供処理部２１１が、通信端末３００のユーザー毎に、写真撮影装置１００の利用に応じて加算されるポイントをユーザーリストＴ１等に記憶して管理し、そのポイントに応じて、取得可能な素材データの数又は種別を変更することが考えられる。さらに、前記ポイントが、同一の利用態様に応じたポイントの加算量が、特定会員である場合には特定会員でない場合に比べて多く設定されることが考えられる。これにより、特定会員である場合には、前記ポイントの加算が有利に行われ、取得可能な素材データの数又は種別が増加するため、特定会員の登録意欲及び登録継続意欲が高まる。
【０１３６】
また、写真撮影システム１において、通信端末３００の編集処理部３２２が、画像データに基づいて表示される画像のサイズ又は形状をフレーム画像に自動的に整合させることが可能であってもよい。より具体的に、編集処理部３２２が、編集画面Ｐ３の表示中に、ユーザー操作に応じて、表示画像又はフレーム画像を移動、回転、又は拡大縮小する際、表示画像の端部とフレーム画像の端部との距離が予め設定された離間距離以下になったことを条件に、前記表示画像又は前記フレーム画像のいずれか一方又は両方の位置、サイズ、又は形状を自動的に変化させ、表示画像の端部とフレーム画像の端部とを揃えることが考えられる。なお、前記フレーム画像のサイズの変更はアスペクト比（縦横比）を維持したまま行われる。
【０１３７】
なお、本実施形態では、前記素材データが、写真撮影装置１００で画像データの編集に用いられる素材画像に対応する画像データである場合について説明した。一方、写真撮影装置１００で画像データの編集に用いられない特殊素材データがサーバー２００の素材画像記憶部２２４に対応付けて記憶されていてもよい。例えば、前記特殊素材データは、季節、特定のイベント、特定のキャラクタ、特定の人物などの予め設定されたグループごとに関連する特殊素材画像に対応する画像データである。この場合、通信端末３００の制御部３０１は、ユーザー操作に応じて前記特殊素材データをグループ単位でサーバー２００から取得することが可能であって、前記特殊素材データについても、前記素材データと同様に通信端末３００のユーザーが前記特定会員であるか否かに応じて使用の可否を変更可能であることが考えられる。
【符号の説明】
【０１３８】
１    写真撮影システム
２    商用交流電源
３    電源スイッチ
１０  撮影コーナー
２０  落書きコーナー
３０  制御装置
４０  ＵＰＳ
５０  ルーター
６０  無線端末
１００  写真撮影装置
２００  サーバー
２１１  提供処理部
２２１  画像記憶部
２２２  一時画像記憶部
２２３  専用画像記憶部
２２４  素材画像記憶部
３００  通信端末
３２１  取得処理部
３２２  編集処理部
３２３  削除処理部
【図１】
2018032322.tif 000003
【図２】
2018032322.tif 000004
【図３】
2018032322.tif 000005
【図４】
2018032322.tif 000006
【図５】
2018032322.tif 000007
【図６】
2018032322.tif 000008
【図７】
2018032322.tif 000009
【図８】
2018032322.tif 000010
【図９】
2018032322.tif 000011
【図１０】
2018032322.tif 000012
【図１１】
2018032322.tif 000013
【図１２】
2018032322.tif 000014
【図１３】
2018032322.tif 000015